(57)【要約】【課題】見積依頼先選定基準となる評価を見積依頼者と各見積回答者が同じ尺度で常時把握出来ない点である。また、見積依頼先の選定後、見積回答者側が見積回答値を指定するため、見積依頼者が希望した範囲内での見積回答を得るには条件の見直し及び、見積回答値の合意に時間を要することである。【解決手段】見積依頼値に回答する見積回答者が現れるまで、見積依頼者が設定した見積回答値値増し条件に従い自動的に見積回答値を上昇させることで見積回答値の合意を自動的に形成できる。同タイミングで複数の見積回答者が見積依頼値に回答した場合には、過去の取引で獲得したポイントを多く有する見積回答者を自動的に選定する。【選択図】  図１
2012252616.tif 000002
【特許請求の範囲】
【請求項１】
複数の見積依頼端末及び、複数の見積回答端末とネットワークを介して接続された見積値分析サーバであって、
前記見積依頼端末から見積依頼案件情報を前記ネットワークを介して受信し、
新規に案件ＩＤを発行し、
前記受信した見積依頼案件情報に基づき、見積案件を見積案件テーブルに格納し、
見積依頼値を見積依頼値テーブルに格納し、
見積状況を見積状況テーブルに格納し、
前記見積依頼端末及び、見積回答者マスタに従い前記見積回答端末に見積依頼案件着荷メッセージを前記ネットワークを介して送付し、
前記見積依頼値テーブルを前記案件ＩＤに基づき検索して、見積回答開始日時を超過している前記案件ＩＤについては、前記各見積回答端末に見積回答開始メッセージを送付し、
前記見積依頼値テーブルを前記案件ＩＤに基づき検索し、初期値、上限値、上昇幅、上昇サイクルタイムに従い、前記上昇サイクルルタイム経過毎に、前記初期値に前記上昇幅分を加算することで前記上限値を限度に見積回答値を値増しし、
前記各見積回答端末に見積回答値上昇メッセージを前記ネットワークを介して送付する制御部を有する、
ことを特徴とする見積値分析サーバ。
【請求項２】
前記制御部は、
見積回答要求を受信し、前記見積回答状況テーブルに前記見積回答者と前記見積回答値の値増しに利用する利用予定ポイントを格納し、
次回の見積回答値上昇時点までで、格納した前記見積回答者を獲得ポイント実績テーブルを前記見積回答者に基づき検索し、
保有ポイントが高い前記見積回答者を取引先とし、
前記見積状況テーブルに前記見積回答者を格納し、前記見積回答者の前記利用予定ポイントを獲得実績ポイントテーブルに格納し、
前記見積回答値に利用予定ポイント×１００を値まししたものを前記見積回答値として前記見積回答端末に送付する、
ことを特徴とする請求項１に記載の見積値分析サーバ。
【請求項３】
複数の見積依頼端末及び、複数の見積回答端末とネットワークを介して接続された見積値分析サーバにおける、システム構築見積回答公募方法であって、
前記見積値分析サーバにより、
前記見積依頼端末から見積依頼案件情報を前記ネットワークを介して受信し、
新規に案件ＩＤを発行し、
前記受信した見積依頼案件情報に基づき、見積案件を見積案件テーブルに格納し、
見積依頼値を見積依頼値テーブルに格納し、
見積状況を見積状況テーブルに格納し、
前記見積依頼端末及び、見積回答者マスタに従い前記見積回答端末に見積依頼案件着荷メッセージを前記ネットワークを介して送付し、
前記見積依頼値テーブルを前記案件ＩＤに基づき検索して、見積回答開始日時を超過している前記案件ＩＤについては、前記各見積回答端末に見積回答開始メッセージを送付し、
前記見積依頼値テーブルを前記案件ＩＤに基づき検索し、初期値、上限値、上昇幅、上昇サイクルタイムに従い、前記上昇サイクルルタイム経過毎に、前記初期値に前記上昇幅分を加算することで前記上限値を限度に見積回答値を値増しし、
前記各見積回答端末に見積回答値上昇メッセージを前記ネットワークを介して送付する、
ことを特徴とするシステム構築見積回答公募方法。
【請求項４】
前記見積分析サーバにより、
見積回答要求を受信し、前記見積回答状況テーブルに前記見積回答者と前記見積回答値の値増しに利用する利用予定ポイントを格納し、
次回の見積回答値上昇時点までで、格納した前記見積回答者を獲得ポイント実績テーブルを前記見積回答者に基づき検索し、
保有ポイントが高い前記見積回答者を取引先とし、
前記見積状況テーブルに前記見積回答者を格納し、前記見積回答者の前記利用予定ポイントを獲得実績ポイントテーブルに格納し、
前記見積回答値に利用予定ポイント×１００を値まししたものを前記見積回答値として前記見積回答端末に送付する、
ことを特徴とする請求項３に記載のシステム構築見積回答公募方法。
【請求項５】
コンピュータを制御して、請求項３または請求項４に記載のシステム構築見積回答公募方法を実行するプログラム。
【発明の詳細な説明】
【技術分野】
【０００１】
複数のベンダに見積依頼を実施することで、システム構築ベンダを決定する技術に関する。
【背景技術】
【０００２】
見積依頼を実施する際に、取引先選定基準として定性的ではなく定量的に取引先を評価することで、迅速かつ、安心して取引先の選定を実施する必要がある。
【０００３】
関連する技術として、見積依頼システムが取引先の評価情報を格納した評価データベースを備え、見積依頼を送信する取引先を選択するときに、各取引先の評価情報を出力する。これにより、安心して取引が可能な見積依頼システムを提供することを可能とする技術が知られている（例えば、特許文献１参照）。
【先行技術文献】
【特許文献】
【０００４】
【特許文献１】特開２００９−２３７９９９号公報
【発明の概要】
【発明が解決しようとする課題】
【０００５】
解決しようとする課題は、取引先選定基準となる評価を見積依頼者と取引先となる各見積回答者が同じ尺度で常時把握出来ないという点である。また、見積依頼先の選定後、見積回答者側が見積回答値を指定するため、見積依頼者が希望した範囲内での見積回答を得るには条件の見直し及び、見積回答値の合意に時間を要することである。
【０００６】
本発明は、このような事情に鑑みてなされたもので、見積回答者の評価を定量的に示す指標を用いることで、取引先選定基準を明確にし、見積依頼者が希望した範囲内で、見積回答者が希望の見積回答値に達した時点で回答し、見積回答値の合意を自動的に形成できる見積値分析サーバ、システム構築見積回答公募方法及びプログラムを提供することを課題とする。
【課題を解決するための手段】
【０００７】
上記課題を解決するための一手段について説明する。本発明は、複数の見積依頼端末及び、複数の見積回答端末とネットワークを介して接続された見積値分析サーバにおける、システム構築見積回答公募方法である。前記見積値分析サーバにより、前記見積依頼端末から、見積依頼案件情報を前記ネットワークを介して受信し、新規に案件ＩＤを発行し、前記受信した見積依頼案件情報に基づき、見積案件を見積案件テーブルに格納し、見積依頼値を見積依頼値テーブルに格納し、見積状況を見積状況テーブルに格納し、前記見積依頼端末及び、見積回答者マスタに従い前記見積回答端末に見積依頼案件着荷メッセージを前記ネットワークを介して送付し、前記見積依頼値テーブルを前記案件ＩＤに基づき検索して、見積回答開始日時を超過している前記案件ＩＤについては、前記各見積回答端末に見積回答開始メッセージを送付し、前記見積依頼値テーブルを前記案件ＩＤに基づき検索し、初期値、上限値、上昇幅、上昇サイクルタイムに従い、前記上昇サイクルタイム経過毎に、前記初期値に前記上昇幅分を加算することで前記上限値を限度に見積回答値を値増しし、前記各見積回答端末に見積回答値上昇メッセージを前記ネットワークを介して送付する。
【発明の効果】
【０００８】
見積依頼者が希望した範囲内での見積回答値を得ることが出来、見積回答者の見積回答値が競合した場合、過去の評価に基づき取引先選定の合意を自動的に形成できる。
【図面の簡単な説明】
【０００９】
【図１】本実施形態に係るコンピュータネットワークシステム１の全体構成例を示す図である。
【図２】見積依頼端末１０のハードウェア構成例を示す図である。
【図３】見積値分析サーバ１２のハードウェア構成例を示す図である。
【図４】見積回答端末１４のハードウェア構成例を示す図である。
【図５】見積値分析サーバ１２が具備する見積依頼者マスタ３１９のデータ構成例を示す図である。
【図６】見積値分析サーバ１２が具備する見積依頼者マスタ３２０のデータ構成例を示す図である。
【図７】見積値分析サーバ１２が具備する見積依頼値テーブル３２１のデータ構成例を示す図である。
【図８】見積値分析サーバ１２が具備する見積状況テーブル３２２のデータ構成例を示す図である。
【図９】見積値分析サーバ１２が具備する見積回答者マスタ３２３のデータ構成例を示す図である。
【図１０】見積値分析サーバ１２が具備する獲得ポイント実績テーブル３２４のデータ構成例を示す図である。
【図１１】見積値分析サーバ１２が具備する見積回答状況テーブル３２５のデータ構成例を示す図である。
【図１２】見積値分析サーバ１２が具備する構築実績テーブル３２６のデータ構成例を示す図である。
【図１３】コンピュータネットワークシステム１の処理概要を説明するシーケンス図である。
【図１４】コンピュータネットワークシステム１の処理概要を説明するシーケンス図である。
【図１５】コンピュータネットワークシステム１の処理概要を説明するシーケンス図である。
【図１６】見積依頼端末１０が具備する認証依頼機能２１１の処理を示すフローチャートである。
【図１７】見積依頼端末１０が具備する見積依頼機能２１２の処理を示すフローチャートである。
【図１８】見積値分析サーバ１２が具備する見積依頼者認証機能３１１の処理を示すフローチャートである。
【図１９】見積値分析サーバ１２が具備する見積回答者認証機能３１２の処理を示すフローチャートである。
【図２０】見積値分析サーバ１２が具備する見積回答値格納機能３１３の処理を示すフローチャートである。
【図２１】見積値分析サーバ１２が具備する見積回答値上昇判定機能３１４の処理を示すフローチャートである。
【図２２】見積値分析サーバ１２が具備する見積回答値上昇判定機能３１４の処理を示すフローチャートである。
【図２３】見積値分析サーバ１２が具備する見積回答値上昇判定機能３１４の処理を示すフローチャートである。
【図２４】見積値分析サーバ１２が具備する見積回答値上昇判定機能３１４の処理を示すフローチャートである。
【図２５】見積値分析サーバ１２が具備するポイント照会機能３１５の処理を示すフローチャートである。
【図２６】見積値分析サーバ１２が具備する案件情報格納機能３１６の処理を示すフローチャートである。
【図２７】見積値分析サーバ１２が具備する見積回答受信機能３１７の処理を示すフローチャートである。
【図２８】見積値分析サーバ１２が具備する見積回答比較機能３１８の処理を示すフローチャートである。
【図２９】見積値分析サーバ１２が具備する見積回答比較機能３１８の処理を示すフローチャートである。
【図３０】見積回答端末１４が具備するポイント参照機能４１２の処理を示すフローチャートである。
【図３１】見積回答端末１４が具備する案件情報照会機能４１３の処理を示すフローチャートである。
【図３２】見積回答端末１４が具備する見積回答機能４１４の処理を示すフローチャートである。
【発明を実施するための形態】
【００１０】
以下、本発明の一実施例について、図面を参照して詳細に説明する。
【００１１】
図１は、本実施例に係るコンピュータネットワークシステム１の全体構成例を示す図である。システム構築見積回答自動公募システム１は、見積値分析サーバ１２と、複数の見積依頼端末１０とがネットワーク１１に接続、見積値分析サーバ１２と、複数の見積回答端末１４とがネットワーク１２に接続されて構成される。
【００１２】
図２は見積依頼端末１０のハードウェア構成例を示す図である。見積依頼端末１０は、ＣＰＵ等のコントローラ（制御部）２００と、入力部２０２と、表示部２０３と、通信制御部２０４と、記憶部２０１にプログラム２１０として、認証依頼機能２１１と見積依頼機能２１２とを、具備する。各部はバス（ＢＵＳ）によって接続されている。認証依頼機能２１１は、見積値分析サーバ１２に認証要求を送信する機能を有する。見積依頼機能２１２は、見積値分析サーバ１２に案件情報案件情報入力要求を送信する機能を有する。
【００１３】
図３は、見積値分析サーバ１２のハードウェア構成例を示す図である。見積値分析サーバ１２は、ＣＰＵ等のコントローラ（制御部）３０２と、メモリ３０３と、タイマ３０４と、通信制御部３０５とを具備し、記憶部３０１に、プログラム３１０として、見積依頼者認証機能３１１と、見積回答者認証機能３１２と、見積依頼値格納機能３１３と、見積回答値上昇判定機能３１４と、ポイント照会機能３１５と、案件情報照会機能３１６と、見積回答受信機能３１７と、見積回答比較機能３１８と、を具備する。また、記憶部３０１には、見積依頼者マスタ３１９と、見積案件テーブル３２０と、見積依頼値テーブル３２１と、見積状況テーブル３２２と、見積回答者マスタ３２３と、獲得ポイント実績テーブル３２４と、見積回状況テーブル３２５と、構築実績テーブル３２６とが格納される。また、見積依頼者認証機能３１１は、見積依頼端末１０より、認証要求を受信すると、認証処理を実施し、認証結果を見積依頼端末１０へと送信する機能を有する。見積回答者認証機能３１２は、見積回答端末１４より、認証要求を受信すると、認証処理を実施し、認証結果を見積回答端末１４へと送信する機能を有する。見積依頼値格納機能３１３は、見積依頼端末１０より、案件情報入力要求を受信すると、案件情報入力処理を実施し、案件情報入力完了メッセージを見積依頼端末１０へと、案件着荷メッセージを見積回答端末１４へと、送信する機能を有する。見積回答値上昇判定機能３１４は、見積回答開始判定処理を定期的に実施し、見積依頼端末１０と、見積回答端末１４とに、見積回答開始可能メッセージを送付する。また、見積回答値上昇処理を実施する機能を有する。ポイント照会機能３１５は、見積回答端末１４より、ポイント獲得履歴画面要求を受信すると、ポイント獲得履歴画面を見積回答端末１４へと、送信する機能を有する。案件情報照会機能３１６は、見積回答端末１４より、案件情報閲覧要求を受信すると、案件情報照会処理を実施し、見積依頼案件画面を見積回答端末１４へと、送信する機能を有する。見積回答受信機能３１７は、見積回答端末１４より、見積回答画面要求を受信すると、見積回答画面を見積回答端末１４へ送信する。また、見積回答端末１４より、見積回答要求を受信すると、見積回答処理を実施し、見積回答完了メッセージを見積回答端末１４へと、送信する機能を有する。見積回答比較機能３１８は、複数の見積回答に対して見積回答値比較処理を実施し、見積回答比較結果メッセージを見積依頼端末１０と見積回答端末１４とに送付する機能を有する。
【００１４】
図４は見積回答端末１４のハードウェア構成例を示す図である。見積回答端末１０は、ＣＰＵ等のコントローラ（制御部）４００と、入力部４０２と、表示部４０３と、通信制御部４０４と、記憶部４０１にプログラム４１０として、認証依頼機能４１１と、ポイント参照機能４１２と、案件情報閲覧機能４１３と、見積回答機能４１４とを、具備する。各部はバス（ＢＵＳ）によって接続されている。認証依頼機能４１１は、見積値分析サーバ１２に認証要求を送信する機能を有する。ポイント参照機能４１２は、見積値分析サーバ１２にポイント獲得履歴画面要求を送信する機能を有する。案件情報閲覧機能４１３は、見積値分析サーバ１２に案件情報閲覧要求を送信する機能を有する。見積回答機能４１４は、見積値分析サーバ１２に見積回答情報を送信する機能を有する。
【００１５】
図５は、見積値分析サーバ１２が具備する見積依頼者マスタ３１９のデータ構成例を示す図である。見積依頼者マスタ３１９は、見積依頼端末１０を保有する見積依頼者ごとに、企業名や部署名などを格納しているテーブルであり、見積依頼者が変更となる際に更新される。図５に示すように、依頼者ＩＤ５０１と、パスワード５０２と、企業名５０３と、部署名５０４と、プロジェクトマネージャ５０５とをそれぞれ対応付けて記憶する。ここで、依頼者ＩＤは、見積依頼端末１０が見積依頼する見積依頼者ＩＤを格納し、パスワード５０２は、見積値分析サーバ１２が認証するパスワードを格納し、企業名５０３は、見積依頼者が所属する固有の企業名であり、部署名５０４は、見積依頼者が所属する固有の部署名であり、企業名５０３は、見積依頼者の固有のプロジェクトマネージャ名である。
【００１６】
図６は、見積値分析サーバ１２が具備する見積案件テーブル３２０のデータ構成例を示す図である。見積案件テーブル３２０は、見積依頼値分析サーバ１２に用いる案件情報を格納するテーブルで、見積依頼値格納機能３１４により、案件情報が格納されたときに更新される。図６に示すように、見積案件テーブル３２０は、案件ＩＤ６０１と、顧客情報６０２と、プロジェクト開始６０３と、プロジェクト終了６０４と、案件名６０５と、見積条件６０６と、構築後付与ポイント６０７とをそれぞれ対応付けて記憶する。ここで、案件ＩＤ６０１は、見積値分析サーバ１２が分析対象とする案件ＩＤを格納し、顧客情報６０２は、顧客が所属する固有の企業名と、部署名であり、プロジェクト開始６０３は、該当案件のプロジェクト開始年月日であり、プロジェクト終了６０４は、該当案件のプロジェクト終了年月日であり、案件名６０５は、該当案件の固有の案件名であり、見積条件６０６は、該当案件の見積条件であり、構築後付与ポイントはプロジェクト終了後の評価に従い付与されるポイントである。
【００１７】
図７は、見積値分析サーバ１２が具備する見積依頼値テーブル３２１のデータ構成例を示す図である。見積依頼値テーブル３２１は、見積依頼値分析サーバ１２に用いる見積依頼値情報を格納するテーブルで、見積依頼値格納機能３１４により、案件情報が格納されたときに更新される。図７に示すように、見積依頼値テーブル３２１は、案件ＩＤ７０１と、初期値７０２と、上限値７０３と、上昇幅７０４と、上昇サイクルタイム７０５と、見積回答開始日時７０６とをそれぞれ対応付けて記憶する。ここで、案件ＩＤ７０１は、見積値分析サーバ１２が分析対象とする案件ＩＤが格納され、初期値７０２は、該当案件の見積回答値の初期値が格納され、上限値７０３は、該当案件の見積回答値の上限値が格納され、上昇幅７０４は、該当案件の見積回答値の上昇幅が格納され、上昇サイクルタイム７０５は、該当案件の見積回答値の上昇タイミングが格納され、見積回答開始日７０６は、該当案件の見積回答開始可能日時が格納される。
【００１８】
図８は、見積値分析サーバ１２が具備する見積状況テーブル３２２のデータ構成例を示す図である。見積状況テーブル３２２は、見積依頼値分析サーバ１２の見積状況や、該当案件を受注した回答者ＩＤを格納するテーブルで、見積回答値上昇判定機能３１４により、カウンタが上昇した際、ステータスが変更した際、または見積回答比較機能３１６により、受注回答者が決定した際に更新される。図８に示すように、見積状況テーブル３２２は、案件ＩＤ８０１と、カウンタ８０２と、ステータス８０３と、受注回答者ＩＤ８０４とをそれぞれ対応付けて記憶する。ここで、案件ＩＤ８０１は、見積値分析サーバ１２が分析対象とする案件ＩＤが格納され、カウンタ８０２は、見積回答値上昇判定機能３１４により、該当案件の見積回答開始日時からの経過時間がカウンタ８０２と上昇サイクルタイム７０５を掛け合わせたものとを比較した結果が格納される。ステータス８０３は、見積回答値上昇判定機能３１４より抽出されたステータスが格納され、受注回答者ＩＤは、見積回答値比較機能３１８より抽出された受注回答者ＩＤが格納される。
【００１９】
図９は、見積値分析サーバ１２が具備する見積回答者マスタ３２３のデータ構成例を示す図である。見積回答者マスタ３２３は、見積回答端末１４を保有する見積回答者ごとに、企業名や部署名などを格納しているテーブルであり、見積回答者が変更となる際に更新される。図９に示すように、回答者ＩＤ９０１と、パスワード９０２と、企業名９０３と、部署名９０４と、プロジェクトマネージャ９０５とをそれぞれ対応付けて記憶する。ここで、回答者ＩＤ９０１は、見積回答端末１４が見積回答する見積回答者ＩＤを格納し、パスワード９０２は、見積値分析サーバ１２が認証するパスワードを格納し、企業名９０３は、見積回答者が所属する固有の企業名であり、部署名９０４は、見積回答者が所属する固有の部署名であり、企業名９０３は、見積回答者の固有のプロジェクトマネージャ名である。
【００２０】
図１０は、見積値分析サーバ１２が具備する獲得ポイント実績テーブル３２４のデータ構成例を示す図である。獲得ポイント実績テーブル３２４は、見積回答者ＩＤをテーブルのインデックスとして、その見積回答者が過去に構築したシステムの案件ＩＤごとに、利用年月日や獲得ポイントなどを格納しているテーブルであり、新たなシステム構築実績が加わるたびに更新される。図１０に示すように、案件ＩＤ１００１と、利用年月日１００２と、獲得ポイント１００３と、利用ポイント１００４とをそれぞれ対応付けて記憶する。ここで、案件ＩＤ１００１は、過去に構築した案件ＩＤであり、利用年月日１００５はポイントの獲得または、利用した年月日であり、獲得ポイント１００３は、獲得後付与ポイント６０７に基づき獲得したポイントで、利用ポイント１００４は、利用予定ポイント１１０２に基づき利用したポイントである。
【００２１】
図１１は、見積値分析サーバ１２が具備する見積回答者テーブル３２５のデータ構成例を示す図である。見積回答者テーブル３２５は、案件ＩＤをテーブルのインデックスとして、その案件に回答している見積回答者とその利用予定ポイントを格納しているテーブルであり、見積回答受信機能３１７により、新たな回答者が加わるたびに更新される。図１１に示すように、回答者ＩＤ１１０１と、利用予定ポイント１１０２をそれぞれ対応付けて記憶する。ここで、回答者ＩＤ１１０１は、見積回答端末１４が見積回答する見積回答者ＩＤを格納し、利用予定ポイント１１０２は、見積回答者が利用する予定のポイントを格納している。
【００２２】
図１２は、見積値分析サーバ１２が具備する見積回答者テーブル３２６のデータ構成例を示す図である。構築実績テーブル３２６は、過去の案件ＩＤごとに、システム構築を実施した回答者やその年月日や評価を格納しているテーブルであり、見積回答受信機能３１７により、新たなシステム構築実績が加わるたびに更新される。図１２に示すように、案件ＩＤ１２０１と、回答者ＩＤ１２０２と、構築完了年月日１２０３と、評価１２０４と、獲得ポイント１２０５とを対応付けて記憶する。ここで、案件ＩＤ１２０１は、過去に構築した案件ＩＤであり、回答者ＩＤ１２０２はその案件においてシステム構築を実施した回答者のＩＤであり、構築完了年月日１２０３はシステム構築の検収を実施した年月日であり、評価１２０４は、見積条件６０６に基づき付与された評価であり、獲得ポイント１２０５は、獲得後付与ポイント６０７に基づき獲得したポイントである。
【００２３】
図１３は見積依頼端末１０が案件情報を入力し、見積値分析サーバ１２が案件情報を登録し、見積回答端末１４が案件情報を閲覧する処理概要を説明するシーケンス図である。見積依頼端末１０は認証要求を見積値分析サーバ１２に送付し（ステップＳ１３０１）、見積値分析サーバ１２は認証処理を実施し（ステップＳ１３０２）、認証結果を見積依頼端末１０に送付する（ステップＳ１３０３）。見積依頼端末１０は案件情報入力画面要求を見積値分析サーバ１２に送付し（ステップＳ１３０４）、見積値分析サーバ１２は案件情報入力画面を見積依頼端末１０に送付する（ステップＳ１３０５）。見積依頼端末１０は案件情報入力要求を見積値分析サーバ１２に送付し（ステップＳ１３０６）、見積値分析サーバ１２は案件情報入力処理を実施し（ステップＳ１３０７）、案件情報入力完了メッセージを見積依頼端末１０に送付する（ステップＳ１３０８）。見積値分析サーバ１２は案件着荷メッセージを見積回答端末１４に送付し（ステップＳ１３０９）、見積回答端末１４は認証要求を見積値分析サーバ１２に送付し（ステップＳ１３１０）、見積値分析サーバ１２は認証処理を実施し（ステップＳ１３１１）、見積回答端末１４に認証結果を送付する（ステップＳ１３１２）。見積回答端末１４は案件情報閲覧要求を見積値分析サーバ１２に送付し（ステップＳ１３１３）、見積値分析サーバ１２は案件情報照会処理を実施し（ステップＳ１３１４）、案件情報画面を見積回答端末１４に送付する（ステップＳ１３１５）。
【００２４】
図１４は見積値分析サーバ１２が見積回答値を判定し、見積回答値を上昇させる処理概要を説明するシーケンス図である。見積値分析サーバ１２は見積回答開始判定処理を実施し（ステップＳ１４０２）、見積回答開始可能メッセージを見積依頼端末１０及び、見積回答端末１４に送付し（ステップＳ１４０３）、見積回答値上昇処理を実施し（ステップＳ１４０４）、見積回答値上昇結果メッセージを見積依頼端末１０及び、見積回答端末１４に送付する（ステップＳ１４０５）。見積回答端末１４は見積回答画面要求を見積値分析サーバ１２に送付し（ステップＳ１４０６）、見積値分析サーバ１２は見積回答画面を見積回答端末１４に送付し（ステップＳ１４０７）、見積回答端末１４は見積回答要求を見積値分析サーバ１２に送付し（ステップＳ１４０８）、見積値分析サーバ１２は見積回答処理を実施し（ステップＳ１４０９）、見積回答値上昇処理を実施し（ステップＳ１４１０）、見積回答比較処理を実施し（ステップＳ１４１１）、見積回答比較結果メッセージを見積依頼端末１０及び、見積回答端末１４に送付する（ステップＳ１４１２）。
【００２５】
図１５は見積値分析サーバ１２がポイント獲得履歴画面を要求する処理概要を説明するシーケンス図である。見積回答端末１４は認証要求を見積値分析サーバ１２に送付し（ステップＳ１５１０）、見積値分析サーバ１２は認証処理を実施し（ステップＳ１５１１）、見積回答端末１４に認証結果を送付する（ステップＳ１５１２）。見積回答端末１４はポイント獲得履歴画面要求を見積値分析サーバ１２に送付し（ステップＳ１５１３）、ポイント獲得履歴画面を見積回答端末１４に送付する（ステップＳ１５１４）。
【００２６】
図１６は見積依頼端末１０が具備する認証依頼機能２１１の処理を示すフローチャートである。認証依頼機能２１１は、見積値分析サーバ１２に認証要求と、認証情報(今回の例では、依頼者ＩＤ＝１２ＸＹ、パスワード＝ｇｊａｐ０ｕ２)を送信し（ステップＳ１６０１）、見積値分析サーバ１２より送信されてきた、認証結果を受信し（ステップＳ１６０２）、表示部２０３に認証結果を表示する。
【００２７】
図１７は見積依頼端末１０が具備する見積依頼機能２１２の処理を示すフローチャートである。見積依頼機能２１２は、見積値分析サーバ１２に案件情報入力画面要求を送信し（ステップＳ１７０１）、見積値分析サーバ１２より送信されてきた、見積依頼端末１０の表示部２０３に表示される案件情報入力画面を受信し（ステップＳ１７０２）、案件情報入力画面において、入力部２０２に案件情報(今回の例では、顧客情報＝Ａ社Ｂ部、プロジェクト開始日＝２０１１０７０１、プロジェクト終了日＝２０１１０９３０、 案件名＝ＡＢＣシステム・・・、初期値＝１０，０００，０００、上限値＝２０，０００，０００、上昇幅＝１，０００，０００、上昇サイクルタイム＝２４)を入力し、見積値分析サーバ１２に案件情報入力要求を送信後（ステップＳ１７０３）、案件情報入力完了メッセージを受信（ステップＳ１７０４）する。
【００２８】
図１８は見積値分析サーバ１２が具備する見積依頼者認証機能３１１の処理を示すフローチャートである。見積依頼者認証機能３１１は、見積依頼端末１０より送信された、認証要求を受信し(今回の例では、依頼者ＩＤ＝１２ＸＹ、パスワード＝ｇｊａｐ０ｕ２)（ステップＳ１８０１）、認証要求に含まれる依頼者ＩＤ、パスワードにより見積依頼者マスタ３１９を検索する（ステップＳ１８０２）。次に、見積依頼者マスタ３１９の、依頼者ＩＤ５０１と、パスワード５０２と一致しているかの認証処理を実施（ステップＳ１８０３）する。一致する場合は（ステップＳ１８０４）、見積依頼端末１０に認証結果(成功)のメッセージを送付し（ステップＳ１８０５）、一致しない場合は（ステップＳ１８０４）、見積依頼端末１０に認証結果(失敗)のメッセージを送付（ステップＳ１８０６）する。
【００２９】
図１９は見積値分析サーバ１２が具備する見積回答者認証機能３１２の処理を示すフローチャートである。見積回答者認証機能３１２は、見積回答端末１４より送信された、認証要求を受信し（ステップＳ１９０１）、認証要求に含まれる回答者ＩＤ、パスワード(今回の例では、依頼者ＩＤ＝ＡＢ１２、パスワード＝Ｋ１ｐｕｔｅｐ)により見積回答者マスタ３２３を検索する（ステップＳ１９０２）。次に、見積回答者マスタ３２３の、回答者ＩＤ９０１と、パスワード９０２と一致しているかの認証処理を実施（ステップＳ１９０３）する。一致する場合は（ステップＳ１９０４）、見積回答端末１４に認証結果(成功)のメッセージを送付し（ステップＳ１９０５）、一致しない場合は（ステップＳ１９０４）、見積回答端末１４に認証結果(失敗)のメッセージを送付（ステップＳ１９０６）する。
【００３０】
図２０は見積値分析サーバ１２が具備する見積依頼値格納機能３１３の処理を示すフローチャートである。見積依頼値格納機能３１３は、見積依頼端末１０より送信された、案件情報入力画面要求を受信し（ステップＳ２００１）、見積依頼端末１０に、案件情報入力画面を送信する（ステップＳ２００２）。次に、見積依頼端末１０より送信された、案件情報入力要求を受信し（ステップＳ２００３）、案件情報入力要求に含まれる顧客情報、プロジェクト開始日、プロジェクト終了日、 案件名、見積条件、構築後付与ポイント、案件詳細、初期値、上限値、上昇幅、上昇サイクルタイム(今回の例では、顧客情報＝Ａ社Ｂ部、プロジェクト開始日＝２０１１０７０１、プロジェクト終了日＝２０１１０９３０、 案件名＝ＡＢＣシステム・・・、初期値＝１０，０００，０００、上限値＝２０，０００，０００、上昇幅＝１，０００，０００、上昇サイクルタイム＝２４、見積回答開始日時＝２０１１０４０１０９００)を抽出する（ステップＳ２００４）。次に、新規に案件ＩＤ（今回の例では、１２３４）を発行して（ステップＳ２００５）、見積案件テーブル３２０に案件ＩＤ６０１（今回の例では、１２３４）、顧客情報６０２（今回の例では、Ａ社Ｂ部）、プロジェクト開始日６０３（今回の例では、２０１１０７０１）、プロジェクト終了日６０４（今回の例では、２０１１０９３０）、案件名６０５（今回の例では、ＡＢＣシステム・・・）、見積条件６０６、構築後付与ポイント６０７を格納する（ステップＳ２００６）。
【００３１】
図２１は見積値分析サーバ１２が具備する見積依頼値格納機能３１３の処理を示すフローチャート図２０の後続を示すフローチャートである。見積依頼値格納機能３１３は、ステップＳ２００６実施後、見積値依頼テーブル３２１に案件ＩＤ７０１（今回の例では、１２３４）、初期値７０２（今回の例では、１０，０００，０００）、上限値７０３（今回の例では、２０，０００，０００）、上昇幅７０４（今回の例では、１，０００，０００）、上昇サイクルタイム７０５（今回の例では、２４）、見積回答開始日７０６（今回の例では２０１１０４０１０９００）を格納して（ステップＳ２１０１）、見積状況テーブル３２２に案件ＩＤ８０１（今回の例では、１２３４）（今回の例では、１２３４）、カウンタ８０２の初期値（Ｎ＝０）、ステータス８０３の初期値（Ｓ＝１）、受注回答者ＩＤ８０４の初期値（ＮＵＬＬ）格納して（ステップＳ２１０２）、見積依頼端末１０へ案件情報入力完了メッセージを送信し（ステップＳ２１０３）、見積回答端末１４へ案件着荷メッセージを送信（ステップＳ２１０４）する。
【００３２】
図２２は、見積値分析サーバ１２が具備する見積回答値上昇判定機能３１４の処理を示すフローチャートである。見積回答値上昇判定機能３１４は、定期起動（今回の例では１時間とする）により開始され、見積依頼値テーブル３２１の案件ＩＤ７０１（今回の例では、１２３４）をキーに検索（ステップＳ２２０１）し、該当レコードの見積回答開始日時８０４（今回の例では２０１１０４０１０９００）をタイマ３０４より取得した現在日付と比較する（ステップＳ２２０３）。次に、現在日付が見積回答開始７０６を超過していた場合は（ステップＳ２２０４）、見積状況テーブル３２２の案件ＩＤ８０１（今回の例では、１２３４）を案件ＩＤ７０１（今回の例では、１２３４）をキーに検索し、該当レコードのステータス８０３を抽出し、照合を実施する（ステップＳ２２０５）。次に、該当レコードのステータス８０３がＳ＝４の場合は、該当案件ＩＤ７０１（今回の例では、１２３４）に関する処理の終了、該当レコードのステータス８０３がＳ＝１の場合は、ステータスＩＤを見積回答可能（回答者無）であるＳ＝２に更新し（ステップＳ２２０７）し、見積回答開始メッセージを見積依頼端末１０、見積回答端末１４に送付する。該当レコードのステータス８０３がＳ＝２、３の場合は、ステップＳ２２０７、ステップＳ２２０８をスキップする。
【００３３】
図２３は、見積値分析サーバ１２が具備する見積回答値上昇判定機能３１４の処理のフローチャート図２２の後続を示すフローチャートである。見積回答値上昇判定機能３１４は、見積状況テーブル３２２から該当案件ＩＤ８０１（今回の例では、１２３４）と、そのカウンタ８０２を抽出し（ステップＳ２３０１）、タイマ３０４より取得した現在日時と、該当案件ＩＤ７０１（今回の例では、１２３４）の見積開始開始日時７０６より取得した経過時間ｔを計算する（ステップＳ２３０２）。次に、見積依頼値テーブル３２１より該当案件ＩＤ７０１（今回の例では、１２３４）の上昇サイクルタイム７０５を取得し（ステップＳ２３０３）、見積依頼値上昇基準時間ＮＴを「カウンタ８０２×上昇サイクルタイム７０５」の式にて計算し、経過時間ｔと比較する（ステップＳ２３０４）。次に、経過時間ｔが見積依頼値上昇基準時間ＮＴより大きい場合は（ステップＳ２３０５）、該当案件ＩＤ７０１（今回の例では、１２３４）に関する処理の終了、経過時間ｔが見積依頼値上昇基準時間ＮＴより小さい場合は（ステップＳ２３０５）、見積状況テーブル３２２の案件ＩＤ８０１（今回の例では、１２３４）の該当レコードのステータス８０３（今回の例では、２）を抽出し、照合を実施する（ステップＳ２３０６）。
【００３４】
図２４は、見積値分析サーバ１２が具備する見積回答値上昇判定機能３１４の処理のフローチャート図２３の後続を示すフローチャートである。該当レコードのステータス８０３がＳ＝３の場合は（ステップＳ２４０１）、該当案件ＩＤ８０１（今回の例では、１２３４）を引き渡し見積回答値比較機能３１８を実施する。一方、該当レコードのステータス８０３がＳ＝２の場合は（ステップＳ２４０１）、見積状況テーブル３２２の該当案件ＩＤ８０１（今回の例では、１２３４）のカウンタ８０２に１を加算し（ステップＳ２４０２）、該当案件ＩＤ８０１（今回の例では、１２３４）の見積依頼値を「初期値７０２＋カウンタ８０２×上昇幅７０４（今回の例では、１０，０００，０００＋２×１，０００，０００）」の式にて計算する（ステップＳ２４０４）。次に、該当案件ＩＤ８０１（今回の例では、１２３４）の見積依頼値と見積依頼値テーブル３２１の該当案件ＩＤ７０１（今回の例では、１２３４）の上限値７０３とを比較し（ステップＳ２４０５）、該当案件ＩＤ８０１（今回の例では、１２３４）の見積依頼値が見積依頼値テーブル３２１の該当案件ＩＤ７０１（今回の例では、１２３４）の上限値７０３より大きい場合は、見積状況テーブル３２２の該当案件ＩＤ８０１（今回の例では、１２３４）のステータス８０３を見積回答終了の４に更新し（ステップＳ２４０６）、見積回答期間終了メッセージを見積依頼端末１０、見積回答端末１４に送付する（ステップＳ２４０７）。一方、該当案件ＩＤ８０１（今回の例では、１２３４）の見積依頼値が見積依頼値テーブル３２１の該当案件ＩＤ７０１（今回の例では、１２３４）の上限値７０３未満の場合は、ステップＳ２４０６、ステップＳ２４０７をスキップする。次に、見積状況テーブル３２１に該当案件ＩＤ８０１（今回の例では、１２３４）のカウンタを更新する。これらの作業を見積依頼値テーブル３２１の案件ＩＤ７０１（今回の例では、１２３４）の全案件に対して実施する（ステップＳ２２０２、ステップＳ２４０９）。
【００３５】
図２５は、見積値分析サーバ１２が具備するポイント紹介機能３１５の処理を示すフローチャートである。ポイント紹介機能３１５は、見積回答端末１４より送信された、ポイント獲得履歴画面要求を受信し（ステップＳ２５０１）、ポイント獲得履歴画面要求に含まれる回答者ＩＤから、獲得ポイント実績テーブル３２４のインデックスを検索し（ステップＳ２５０２）、回答者ＩＤの認証を実施する（ステップＳ２５０３）。次に、回答者ＩＤが獲得ポイント実績テーブル３２４のインデックスに一致した場合（ステップＳ２５０４）、見積回答端末１０に見積依頼案件画面を送付（Ｓ２５０５）、一方、回答者ＩＤが獲得ポイント実績テーブル３２４のインデックスに一致しなかった場合（ステップＳ２５０４）、紹介結果（失敗）を送付する（ステップＳ２５０６）。
【００３６】
図２６は、見積値分析サーバ１２が具備する案件情報紹介機能３１６の処理を示すフローチャートである。案件情報紹介機能３１６は、見積回答端末１４より送信された、案件情報閲覧要求を受信し（ステップＳ２６０１）、案件情報閲覧要求に含まれる案件ＩＤをキーに、見積依頼値テーブル３２０の案件ＩＤ６０１（今回の例では、１２３４）、見積依頼値テーブル３２１の案件ＩＤ７０１（今回の例では、１２３４）、見積状況テーブル３２２の案件ＩＤ８０１（今回の例では、１２３４）を検索し（ステップＳ２６０２）、該当案件ＩＤが行が存在するかの認証処理を実施し（ステップＳ２６０３）、存在した場合は、見積依頼値テーブル３２０の案件ＩＤ６０１（今回の例では、１２３４）、見積依頼値テーブル３２１の案件ＩＤ７０１（今回の例では、１２３４）、見積状況テーブル３２２の案件ＩＤ８０１（今回の例では、１２３４）の該当のレコードの顧客情報６０２（今回の例では、Ａ社Ｂ部）、プロジェクト開始日６０３（今回の例では、２０１１０７０１）、プロジェクト終了日６０４（今回の例では、２０１１０９３０）、案件名６０５（今回の例では、ＡＢＣシステム・・・）、見積条件６０６、構築後付与ポイント６０７、初期値７０２（今回の例では、１０，０００，０００）、上昇幅７０４（今回の例では、１，０００，０００）、上昇サイクルタイム７０５（今回の例では、２４）、見積回答開始日７０６（今回の例では２０１１０４０１０９００）、カウンタ８０２（今回の例では２）、ステータス８０３（今回の例では２）、「初期値７０２＋カウンタ８０２×上昇幅７０４（今回の例では、１０，０００，０００＋２×１，０００，０００）」で計算した現在値（今回の例では、１２，０００，０００）を抽出し、見積依頼端末１４に、見積依頼案件画面を送付し（Ｓ２６０５）、一方、存在しない場合は、照会結果（失敗）メッセージを見積回答端末１４に送付する。
【００３７】
図２７は、見積値分析サーバ１２が具備する見積回答受信機能３１７の処理を示すフローチャートである。見積回答受信機能３１７は、見積回答端末１４より送信された、見積回答画面要求を受信し（ステップＳ２７０１）、見積回答端末１４へ見積回答画面を送付し（ステップＳ２７０２）、見積回答端末１４より見積回答情報を受信し（ステップＳ２７０３）、見積回答情報に含まれる案件ＩＤ（今回の例では、１２３４）をキーに、見積状況テーブル３２２を検索し（ステップＳ２７０４）、該当レコードのステータス８０３（今回の例では、２）の照合処理を実施する。見積状況テーブル３２２の該当レコードのステータス８０３がＳ＝２の場合（ステップＳ２７０５）、Ｓ＝３に更新し（ステップＳ２７０６）、見積回答端末１４へ見積回答完了メッセージを送付し（Ｓ２７０７）、該当レコードのステータス８０３がＳ＝３の場合（ステップＳ２７０５）、更新せずに見積回答端末１４へ見積回答完了メッセージを送付する（ステップＳ２７０７）。一方、見積状況テーブル３２２の該当レコードのステータス８０３がＳ＝１、または４の場合（ステップＳ２７０５）、見積回答端末１４に見積回答不可のメッセージを送付する（ステップＳ２７０８）。
【００３８】
図２８は、見積値分析サーバ１２が具備する見積回答値比較機能３１８の処理を示すフローチャートである。見積回答値比較機能３１８は、見積回答値上昇判定機能３１４内で案件ＩＤ８０１（今回の例では、１２３４）を引数に呼び出されて開始し、保有ポイント保持変数Ｐを作成し、初期値０を格納、獲得保有ポイント保持変数Ｐｍａｘを作成し、初期値０を格納する（ステップＳ２８０１）。次に、案件ＩＤ８０１（今回の例では、１２３４）をキーに案件ＩＤをインデックスとした見積回答状況テーブル３２５の回答者ＩＤ１１０１を検索し（ステップＳ２８０２）、これを回答者ＩＤ１１０１（今回の例では、ＡＢ１２、ＣＤ３４、ＣＥ５６）の全案件に対して実施する（ステップＳ２８０３）。次に、回答者ＩＤ１１０１（今回の例では、ＡＢ１２）をインデックスとした獲得ポイント実績テーブル３２４から回答者ＩＤ保有ポイントＰｘに獲得ポイント１００３の合計値（今回の例では、５，０００＋３，０００）を格納し、回答者ＩＤ保有獲得ポイントＰｘｍａｘに獲得ポイント１００３の合計値（今回の例では、５，０００＋３，０００）から利用ポイント１００４の合計値（今回の例では、２，０００）を差し引いた値を格納する（ステップＳ２８０４、ステップＳ２８０５）。
【００３９】
図２９は、見積値分析サーバ１２が具備する見積回答受信機能３１７の処理のフローチャート図２８の後続を示すフローチャートである。保有ポイント保持変数Ｐと回答者ＩＤ保有ポイントＰｘの比較処理を実施し（ステップＳ２９０１）、保有ポイント保持変数Ｐ（今回の例では、０）が回答者ＩＤ保有ポイントＰｘ（今回の例では、８，００００）より小さい場合、ＰをＰｘに更新し、ＰｍａｘをＰｘｍａｘに更新し、案件ＩＤ８０１（今回の例では、１２３４）をＸに格納し（ステップＳ２９０２）、次の回答者１１０１について同様の作業を実施する（ステップＳ２９０４）。一方、保有ポイント保持変数Ｐが回答者ＩＤ保有ポイントＰｘに等しい場合は、回答者ＩＤ保有獲得ポイントＰｘｍａｘと獲得保有ポイント保持変数Ｐｍａｘを比較し（ステップＳ２９０３）、回答者ＩＤ保有獲得ポイントＰｘｍａｘが獲得保有ポイント保持変数Ｐｍａｘより小さい場合は、ＰをＰｘに更新し、ＰｍａｘをＰｘｍａｘに更新し、回答者ＩＤ８０１（今回の例では、１２３４）をＸに格納し（ステップＳ２９０２）、回答者ＩＤ保有獲得ポイントＰｘｍａｘが獲得保有ポイント保持変数Ｐｍａｘより大きい場合は、次の回答者１１０１について同様の作業を実施する（ステップＳ２９０４）。保有ポイント保持変数Ｐが回答者ＩＤ保有ポイントＰｘより大きい場合、次の回答者１１０１について同様の作業を実施する（ステップＳ２９０４）。次に、見積状況テーブル３２２の該当案件ＩＤにおける受注回答者ＩＤ８０４にＸ（今回の例では、ＡＢ１２）を格納し（ステップＳ２９０５）、見積依頼端末１０、見積回答端末１２に見積回答結果を送付する（ステップＳ２９０６）。次に、回答者ＩＤをインデックスとしている獲得ポイント実績テーブル３２４をＸ（今回の例では、ＡＢ１２）により検索し、案件ＩＤ１００１に該当案件ＩＤ（今回の例では、１２３４）を格納、利用年月日１００２にタイマ３０４より取得した現在日付を格納、利用ポイント１００４（今回の例では、５，０００）には該当案件ＩＤにおける見積回答状況テーブルを回答者ＩＤ１１０１をキーにＸで検索し、対応レコードの利用予定ポイント１１０２を格納する（Ｓ２９０６）。
【００４０】
図３０は見積回答端末１４が具備するポイント参照機能３１５の処理を示すフローチャートである。ポイント参照機能３１５は、見積値分析サーバ１２にポイント獲得履歴画面要求と、照会情報(回答者ＩＤ)を送信し（ステップＳ３００１）、見積値分析サーバ１２より送信されてきた、ポイント獲得履歴画面を受信し（ステップＳ３００２）、表示部４０３にポイント獲得履歴画面を表示する。
【００４１】
図３１は見積回答端末１４が具備する案件情報紹介機能３１６の処理を示すフローチャートである。案件情報紹介機能３１６は、見積値分析サーバ１２に案件情報閲覧要求と、照会情報(回答者ＩＤ)を送信し（ステップＳ３１０１）、見積値分析サーバ１２より送信されてきた、案件情報閲覧画面を受信し（ステップＳ３１０２）、表示部４０３に案件情報閲覧画面を表示する。
【００４２】
図３２は見積回答端末１４が具備する見積回答機能４１４の処理を示すフローチャートである。見積回答機能４１４は、見積値分析サーバ１２に見積回答画面要求を送信し（ステップＳ３２０１）、見積値分析サーバ１２より送信されてきた、見積回答端末１０の表示部４０３に表示される見積回答画面を受信し（ステップＳ３２０２）、案件情報入力画面において、入力部４０２に見積回答情報（今回の例では１２３４）を入力し、見積値分析サーバ１２に案件情報入力要求を送信後（ステップＳ３２０３）、見積回答入力完了メッセージを受信（ステップＳ３２０４）する。
【００４３】
以上、本発明の一実施例について説明したが、本発明はこれを限定させるものではなく、その要旨を逸脱しない範囲で種々変更可能である。
【符号の説明】
【００４４】
１０・・・見積依頼端末、１１・・・ネットワーク、１２・・・見積値分析サーバ、１３・・・ネットワーク、１４・・・見積回答端末、２０１、３０１、４０１・・・記憶部、２０２、４０２・・・入力部、２０３、４０３・・・表示部、２００、４００・・・コントローラ（制御部）、３０３・・・メモリ、２０４、３０５、４０４・・・通信制御部、３０４・・・タイマ。
【図１】
2012252616.tif 000003
【図２】
2012252616.tif 000004
【図３】
2012252616.tif 000005
【図４】
2012252616.tif 000006
【図５】
2012252616.tif 000007
【図６】
2012252616.tif 000008
【図７】
2012252616.tif 000009
【図８】
2012252616.tif 000010
【図９】
2012252616.tif 000011
【図１０】
2012252616.tif 000012
【図１１】
2012252616.tif 000013
【図１２】
2012252616.tif 000014
【図１３】
2012252616.tif 000015
【図１４】
2012252616.tif 000016
【図１５】
2012252616.tif 000017
【図１６】
2012252616.tif 000018
【図１７】
2012252616.tif 000019
【図１８】
2012252616.tif 000020
【図１９】
2012252616.tif 000021
【図２０】
2012252616.tif 000022
【図２１】
2012252616.tif 000023
【図２２】
2012252616.tif 000024
【図２３】
2012252616.tif 000025
【図２４】
2012252616.tif 000026
【図２５】
2012252616.tif 000027
【図２６】
2012252616.tif 000028
【図２７】
2012252616.tif 000029
【図２８】
2012252616.tif 000030
【図２９】
2012252616.tif 000031
【図３０】
2012252616.tif 000032
【図３１】
2012252616.tif 000033
【図３２】
2012252616.tif 000034